【誤訳訂正書】
【提出日】平成27年4月13日(2015.4.13)
【誤訳訂正１】
【訂正対象書類名】明細書
【訂正対象項目名】全文
【訂正方法】変更
【訂正の内容】
【発明の詳細な説明】
【発明の名称】無線ローカルエリアネットワーク（ＷＬＡＮ）における拡張された逆方向許可のための方法および装置
【技術分野】
【０００１】
本出願は、一般的には、無線通信システムの動作に関し、より具体的には無線通信ネットワークにおける拡張された逆方向許可（extended  reverse  direction  grant）のための方法および装置に関する。
【背景技術】
【０００２】
無線ネットワークの高まる人気に伴い、既存の帯域幅割当てからのスループットを増加させてシステム効率を増加させる必要がますます大きくなっている。媒体アクセス制御（Ｍｅｄｉａ  Ａｃｃｅｓｓ  Ｃｏｎｔｒｏｌ：ＭＡＣ）層中の効率を増加させる１つの方法は、逆方向許可（Ｒｅｖｅｒｅｓｅ  Ｄｉｒｅｃｔｉｏｎ  Ｇｒａｎｔ：ＲＤＧ）を利用することである。ＲＤＧは、例えば、新しい転送プロシージャを始めることなしに両方向でデータを転送するための、ＩＥＥＥに８０２．１１ｎにおいて定義されるようなメカニズムである。局は、別の局へ、もしそれのバッファが、そのようにすることを示している場合に受信局がデータを送り返すことができることを示すフレームを、送信する。このメカニズムは、送信機会（Ｔｒａｎｓｍｉｓｓｉｏｎ  Ｏｐｐｏｒｔｕｎｉｔｙ：ＴｘＯＰ）を、ＴｘＯＰホルダ（最初の送り手）がＴｘＯＰ持続期間（ｄｕｒａｔｉｏｎ）の全体を利用するために十分なフレームを持っていない場合、利用する。
【０００３】
不運にも、多数の局へデータを同時に送信する場合、現在のＲＤＧメカニズムは問題である。例えば、送信機で、キューイングされている（is  queued  at）多数の局へ送信されるデータは、増加した遅れおよびジッタを被る。また、現在のＲＤＧメカニズムは、データ送信と多数の局に対する応答の間に提供される必要がある義務的な間隔により、増加したＭＡＣの非能率を被る。この非能率は、より高いデータレートで特に顕著である。
【０００４】
したがって、無線ネットワークにおけるスループットおよび帯域幅効率を増加させるために、上で識別された問題への解決策を提供する必要が、当技術にはある。
【発明の概要】
【０００５】
さまざまな態様において、ＷＬＡＮの効率を増加させるように動作する方法と装置を備える拡張逆方向許可システムが提供される。例えば、このシステムは、多数の装置がＷＬＡＮ上でデータを交換する効率を増加させるための強化された、拡張された逆方向許可メカニズムを提供する。
【０００６】
１つの態様において、複数のノードに共通のチャネルを使用する通信のための方法が提供される。この方法は第１の送信リソースを使用して複数のノードに第１のデータを送信することを備え、そこでは第１のデータは送信機会時間間隔内に送信され、第１の指標を備える。この方法はまた、第１の指標に応じて、ノードの少なくとも１つから少なくとも１つのデータ送信をそれぞれ受信することを含み、そこでは少なくとも１つのデータ送信は、それぞれ、少なくとも１つの第２の送信リソースを使用して送信され、送信機会時間間隔内に受信される。
【０００７】
１つの態様において、複数のノードに共通するチャネルを使用する通信のための装置が提供される。この装置は、第１の送信リソースを使用して、複数のノードに第１のデータを送信するように構成された送信機を含み、そこでは第１のデータは送信機会時間間隔内に送信され、第１の指標を備える。この装置はまた、第１の指標に応じて、ノードの少なくとも１つから少なくとも１つのデータ送信をそれぞれ受信するように構成された受信機を含み、そこでは少なくとも１つのデータ送信は、それぞれ、少なくとも１つの第２の送信リソースを使用して送信され、送信機会時間間隔内に受信される。
【０００８】
１つの態様では、複数のノードに共通のチャネルを使用する通信のための装置である。この装置は、第１の送信リソースを使用して、複数のノードに第１のデータを送信するための手段を含み、そこでは第１のデータは送信機会時間間隔内に送信され、第１の指標を備える。この装置はまた、第１の指標に応じて、ノードの少なくとも１つから少なくとも１つのデータ送信をそれぞれ受信するための手段を備え、そこでは少なくとも１つのデータ送信は、それぞれ、少なくとも１つの第２の送信リソースを使用して送信され、送信機会時間間隔内に受信される。
【０００９】
１つの態様において、複数のノードに共通のチャネルを使用する通信のための方法が提供される。この方法は、複数のノードの第１のノードで、共通チャネルを介して第１のデータ通信を受信することを備え、第１のデータ通信は、複数のノードの他のノードによって復号されることができ、送信機会時間間隔内に受信される。この方法はまた、第１のデータ通信が第１の指標を備えるかどうか判断すること、および第１のデータ通信が第１の指標を備える場合に、選択された送信リソースを使用して、送信機会時間間隔内に第２のデータ通信を送信することを備える。
【００１０】
１つの態様において、複数のノードに共通のチャネルを使用する通信のための装置が提供される。この装置は、複数のノードの第１のノードで、共通チャネルを介して第１のデータ通信を受信するように構成された受信機を備え、第１のデータ通信は、複数のノードの他のノードによって復号されることができ、送信機会時間間隔内に受信される。この装置はまた、第１のデータ通信が第１の指標を備えるかどうか判断するように構成されたコントローラ、および第１のデータ通信が第１の指標を備える場合に、選択された送信リソースを使用して、送信機会時間間隔内に第２のデータ通信を送信するように構成された送信機を備える。
【００１１】
１つの態様において、複数のノードに共通のチャネルを使用する通信のための装置が提供される。この装置は、複数のノードの第１のノードで、共通チャネル上を介して第１のデータ通信を受信するための手段を備え、第１のデータ通信は複数のノードの他のノードによって復号されることができ、送信機会時間間隔内に受信される。この装置はまた、第１のデータ通信が第１の指標を備えるかどうかを判断するための手段と、第１のデータ通信が第１の指標を備える場合に、選択された送信リソースを使用して、送信機会時間間隔内に第２のデータ通信を送信するための手段を備える。
【００１２】
他の態様は、以下に述べられる図面の簡単な説明、説明および請求項の再検討後に、明らかになるだろう。
【図面の簡単な説明】
【００１３】
【図１】図１は、多くのユーザをサポートし、拡張ＲＤＧシステムのさまざまな態様をインプリメントすることができるＭＩＭＯ  ＷＬＡＮシステムを示す。
【図２】図２は、ＩＥＥＥ８０２．１１プロトコルに従って送信および受信の交換を行なうための図１に示されたシステムの動作を例示する図を示す。
【図３】図３は、拡張ＲＤＧシステムの態様に従って拡張ＲＤＧの動作を例示する図を示す。
【図４】図４は、拡張ＲＤＧシステムの態様で使用されるＳＤＭＡを使用するＲＤイニシエータおよびＲＤレスポンダを伴う拡張ＲＤＧ動作を例示する図を示す。
【図５】図５は、拡張ＲＤＧシステムの態様で使用されるＳＤＭＡを使用するＲＤイニシエータおよびＯＦＤＭＡを使用するＲＤレスポンダを伴う拡張ＲＤＧの態様を例示する図を示す。
【図６】図６は、拡張ＲＤＧシステムの態様で使用されるＡＰＰＤＵを使用するＲＤイニシエータおよびＳＤＭＡを使用するＲＤレスポンダを伴う拡張ＲＤＧの態様を例示する図を示す。
【図７】図７は、拡張ＲＤＧシステムの態様で使用されるＡＰＰＤＵを使用するＲＤイニシエータおよびＯＦＤＭＡを使用するＲＤレスポンダを伴う拡張ＲＤＧの態様を例示する図を示す。
【図８】図８は、拡張ＲＤＧシステムの態様で使用されるＯＦＤＭＡを使用するＲＤイニシエータおよびＯＦＤＭＡを使用するＲＤレスポンダを伴う拡張ＲＤＧの態様を例示する図を示す。
【図９】図９は、拡張ＲＤＧシステムの態様で使用されるＯＦＤＭＡを使用するＲＤイニシエータおよびＳＤＭＡを使用するＲＤレスポンダを伴う拡張ＲＤＧの態様を例示する図を示す。
【図１０】図１０は、拡張ＲＤＧシステムの態様で使用されるＯＦＤＭＡ+ＳＤＭＡを使用するＲＤイニシエータおよびＯＦＤＭＡ+ＳＤＭＡを使用するＲＤレスポンダを伴う拡張ＲＤＧの態様を例示する図を示す。
【図１１】図１１は、拡張ＲＤＧシステムの態様に従って動作するように構成されたアクセスポイントとアクセス端末の態様を例示する図を示す。
【図１２】図１２は、拡張ＲＤＧシステムの態様で使用される典型的なアクセス端末を示す。
【図１３】図１３は、拡張ＲＤＧシステムの態様で使用される典型的なアクセスポイントを示す。
【発明を実施するための形態】
【００１４】
本発明のさまざまな態様が下記に述べられる。ここでの教示が広くさまざまな形式で具体化され得ること、およびここで開示される任意の特有の構造、機能またはその両方は、単なる代表に過ぎないことは明白であるはずである。ここの教示に基づいて、当業者は、ここに開示される本発明の何れの態様も任意の他の態様と無関係にインプリメントされ得ること、および、本発明の複数の態様がさまざまな方法で組み合わせられ得ること、を認識するはずである。例えば、ここに述べられる任意の数の態様を使用して、ある方法は実行され得る、または、ある装置はインプリメントされ得る。さらに、ここに述べられる態様の１つ以上に加えて、他の構造、または機能を使用して、あるいは、ここに述べられる態様の１つ以上とは別の構造および機能を使用して、そのような装置はインプリメントされ得る、あるいはそのような方法は実行され得る。ある態様は、請求項の１つ以上の要素を含み得る。
【００１５】
以下の頭辞語は、拡張ＲＤＧシステムの態様について記述するためにここに使用される。
【００１６】
１．  ＰＰＤＵ  −  Ｐｈｙｓｉｃａｌ  Ｌａｙｅｒ  Ｐｒｏｔｏｃｏｌ  Ｄａｔａ  Ｕｎｉｔ（物理層・プロトコル・データユニット）
２．  ＳＩＦＳ  −  Ｓｈｏｒｔ  Ｉｎｔｅｒｆｒａｍｅ（登録商標）  Ｓｐａｃｅ（ショート・インターフレーム・スペース）
３．  ＡＰＰＤＵ  −  Ａｇｇｒｅｇａｔｅ  Ｐｈｙｓｉｃａｌ  Ｌａｙｅｒ  Ｐｒｏｔｏｃｏｌ  Ｄａｔａ  Ｕｎｉｔ（集合物理層・プロトコル・データユニット）
４．  ＣＤＭＡ  −  Ｃｏｄｅ  Ｄｉｖｉｓｉｏｎ  Ｍｕｌｔｉｐｌｅ  Ａｃｃｅｓｓ（符号分割多元接続）
５．  ＯＦＤＭＡ  −  Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ（直交周波数分割多元接続）
６．  ＳＤＭＡ  −  Ｓｐａｃｅ  Ｄｉｖｉｓｉｏｎ  Ｍｕｌｔｉｐｌｅ  Ａｃｃｅｓｓ（空間分割多元接続）
７．  ＴＤＭＡ  −  Ｔｉｍｅ  Ｄｉｖｉｓｉｏｎ  Ｍｕｌｔｉｐｌｅ  Ａｃｃｅｓｓ（時分割多元接続）
８．  ＨＴＣ  −  Ｈｉｇｈ  Ｔｈｒｏｕｇｈｐｕｔ  Ｃｏｎｔｒｏｌ（ハイスループットコントロール）
９．  ＴｘＯＰ  −  Ｔｒａｎｓｍｉｔ  Ｏｐｐｏｒｔｕｎｉｔｙ（送信機会）
１０．  ＴＲＭ  −  Ｔｒａｉｎｉｎｇ  Ｒｅｑｕｅｓｔ  Ｍｅｓｓａｇｅ（トレーニング要求メッセージ）
１１．  ＡＣＫ  −  Ａｃｋｎｏｗｌｅｄｇｅｍｅｎｔ（確認応答）
１２．ＢＡ  ―  ＢｌｏｃｋＡｃｋｎｏｗｌｅｄｇｅｍｅｎｔ（ブロック確認応答）  
図１は、多くのユーザをサポートし、拡張逆方向許可システムのさまざまな態様をインプリメントすることができるＭＩＭＯ  ＷＬＡＮシステム１００を示す。記載された態様は、さまざまなＷＬＡＮシステムと共に使用されることができ、例示的な目的で示され、記載されているＭＩＭＯ  ＷＬＡＮシステム１００と共に使用することに限定されない。
【００１７】
ＭＩＭＯ  ＷＬＡＮシステム１００は、多数のユーザ端末（ｕｓｅｒ  ｔｅｒｍｉｎａｌ：ＵＴ）１２０のための通信をサポートする多数のアクセスポイント（ａｃｃｅｓｓ  ｐｏｉｎｔ：ＡＰ）１１０を含んでいる。例えば、アクセスポイントは、ノードＢ、ラジオネットワークコントローラ（Ｒａｄｉｏ  Ｎｅｔｗｏｒｋ  Ｃｏｎｔｒｏｌｌｅｒ：ＲＮＣ）、ｅノードＢ（ｅＮｏｄｅＢ）、基地局コントローラ（Ｂａｓｅ  Ｓｔａｔｉｏｎ  Ｃｏｎｔｒｏｌｌｅｒ：ＢＳＣ）、基地トランシーバ局（Ｂａｓｅ  Ｔｒａｎｃｅｉｖｅｒ  Ｓｔａｔｉｏｎ：ＢＴＳ）、基地局（Ｂａｓｅ  Ｓｔａｔｉｏｎ：ＢＳ）、トランシーバ機能（Ｔｒａｎｓｃｅｉｖｅｒ  Ｆｕｎｃｔｉｏｎ：ＴＦ）、ラジオルーター（Ｒａｄｉｏ  Ｒｏｕｔｅｒ）、ラジオトランシーバ（Ｒａｄｉｏ  Ｔｒａｎｓｃｅｉｖｅｒ）、基本サービスセット（Ｂｓａｓｅ  Ｓｅｒｖｉｃｅ  Ｓｅｔ：ＢＳＳ）、拡張サービスセット（Ｅｘｔｅｎｄｅｄ  Ｓｅｒｖｉｃｅ  Ｓｅｔ：ＥＳＳ）、ラジオ基地局（Ｒａｄｉｏ  Ｂａｓｅ  Ｓｔａｔｉｏｎ：ＲＢＳ）あるいは何らかの他の用語を備え得る、それらとしてインプリメントされ得る、またはそれらとして知られ得る。更に、ユーザ端末は、アクセス端末（ａｃｃｅｓｓ  ｔｅｒｍｉｎａｌ：ＡＴ）、加入者局、加入者ユニット、移動局、遠隔局、遠隔端末、ユーザ端末、利用者エージェント、ユーザ装置、ユーザ装置（ｕｓｅｒ  ｅｑｕｉｐｍｅｎｔ：ＵＥ）、あるいは何らかの他の用語を備え得る、それらとしてインプリメントされ得る、またはそれらとして知られ得る。いくつかのインプリメンテーションにおいて、アクセス端末は、携帯電話、コードレス電話、セッション開始プロトコル（Ｓｅｓｓｉｏｎ  Ｉｎｉｔｉａｔｉｏｎ  Ｐｒｏｔｏｃｏｌ：ＳＩＰ）電話、ワイヤレスローカルループ（ｗｉｒｅｌｅｓｓｌｏｃａｌｌｏｏｐ：ＷＬＬ）局、携帯情報端末（ｐｅｒｓｏｎａｌ  ｄｉｇｉｔａｌ  ａｓｓｉｓｔａｎｔ：ＰＤＡ）、無線接続能力を持っているハンドヘルド装置、あるいは無線モデムに接続された何らかの他の適切な処理装置を含み得る。
【００１８】
従って、ここに教示された１つ以上の態様が、電話（例えば携帯電話かスマートフォン）、コンピュータ（例えばラップトップ）、携帯通信装置、携帯のコンピューティング装置（例えば携帯情報端末）、娯楽装置（例えば音楽デバイスまたはビデオデバイス、あるいはサテライトラジオ）、全地球測位システム装置、あるいは無線あるいは有線の媒体によって通信するように構成される任意の他の適切な装置に組み入れられ得る。
【００１９】
単純化のために、２つのアクセスポイント１１０ａおよび１１０ｂだけが図１に示される。ユーザ端末１２０ａ−ｋはシステムの全体にわたって分散し得る。各ユーザ端末は、アクセスポイントと通信することができる固定端末あるいは移動端末であり得る。各ユーザ端末は、任意の所定の瞬間にダウンリンクおよび／またはアップリンク上の１つまたはことによると多数のアクセスポイントと、通信し得る。ダウンリンク（つまり、フォワードリンク）はアクセスポイントからユーザ端末への送信を指し、また、アップリンク（つまり、リバースリンク）はユーザ端末からアクセスポイントへの送信を指す。
【００２０】
アクセスポイント１１０ａは、ユーザ端末１２０ａから１２０ｆまでと通信し、アクセスポイント１１０ｂは、ユーザ端末１２０ｆから１２０ｋまでと通信する。システム１００の特定の設計によって、アクセスポイントは、多数のユーザ端末と同時に（例えば、多数のコードチャネルあるいはサブバンドを通して）あるいは連続して（例えば多数のタイムスロットによって）通信し得る。所定の瞬間では、ユーザ端末は１つあるいは複数のアクセスポイントからダウンリンク送信を受信し得る。各アクセスポイントからのダウンリンク送信は、多数のユーザ端末によって受信されることを意図したオーバーヘッドデータ、特定のユーザ端末によって受信されることを意図されたユーザ固有のデータ、他のタイプのデータ、あるいはそれらの任意の組合せを含み得る。オーバーヘッドデータは、パイロット、ページ、およびブロードキャストメッセージ、システムパラメータなどを含み得る。
【００２１】
ＭＩＭＯ  ＷＬＡＮシステム１００は集中型のコントローラを有するネットワークアーキテクチャに基づいている。したがって、システムコントローラ１３０は、アクセスポイント１１０ａ−ｂに結合されており、さらに他のシステムおよびネットワークへ結合され得る。例えば、システムコントローラ１３０は、パケットデータネットワーク（ｐａｃｋｅｔ  ｄａｔａ  ｎｅｔｗｏｒｋ：ＰＤＮ）、ワイヤードローカルエリアネットワーク（ｌｏｃａｌ  ａｒｅａ  ｎｅｔｗｏｒｋ：ＬＡＮ）、広域ネットワーク（ｗｉｄｅ  ａｒｅａ  ｎｅｔｗｏｒｋ：ＷＡＮ）、インターネット、公衆交換電話網（ｐｕｂｌｉｃ  ｓｗｉｔｃｈｅｄ  ｔｅｌｅｐｈｏｎｅ  ｎｅｔｗｏｒｋ：ＰＳＴＮ）、セルラー通信網（ｃｅｌｌｕｌａｒ  ｃｏｍｍｕｎｉｃａｔｉｏｎ  ｎｅｔｗｏｒｋ）などに結合され得る。システムコントローラ１３０は、（１）それに結合されたアクセスポイントのための調整と制御、（２）これらのアクセスポイントの間のデータのルーティング、（３）これらのアクセスポイントによってサービスされるユーザ端末との通信のアクセスと制御などのような多くの機能を実行するように設計され得る。
【００２２】
システム１００の動作中、アクセスポイント１１０ａはユーザ端末１２０ａ−１２０ｆと通信する。この例において、アクセスポイント１１０ａは、送信機局として働き、受信ユーザ端末１２０ａ−１２０ｆへの送信のために待機したパケットを有する。次の記述は、拡張逆方向許可システムのさまざまな態様に従って送信と確認応答を記述する。
【００２３】
図２は、ＩＥＥＥ８０２．１１プロトコルに従って送信および受信の交換を実行するためのシステム１００の動作を例示する。例えば、従来の逆方向許可を利用する送信局ＳＴＡ−Ａ、受信局ＳＴＡ−ＢおよびＳＴＡ−Ｃの間の送信および受信の交換が、例示される。
【００２４】
図２では、ＳＴＡ−Ａは、ＲＤイニシエータであり、ＳＴＡ−Ｂ（ＲＤレスポンダ）にアドレスされた（addressed  to）ＭＳＤＵを含むＰＰＤＵ２０２を送信する。このＰＰＤＵの中のＱｏＳデータＭＰＤＵのＡＣＫポリシーフィールドは、暗黙のブロックＡＣＫ（ｉｍｐｌｉｃｔ  Ｂｌｏｃｋ  ＡＣＫ）要求にセットされる。このＰＰＤＵの内の１つ以上のＭＳＤＵは、ＲＤＧを示す、１にセットされたＲＤＧ／Ｍｏｒｅ  ＰＰＤＵフィールドを備えたＨＴＣフィールドを含む。期間／ＩＤフィールドはＴｘＯＰ＝ｔの残存時間期間２０４を含み、ここでｔはマイクロセカンド（μｓ）である。
【００２５】
ＳＴＡ−Ｂ（ＲＤレスポンダ）は、ブロックＡＣＫを含むＰＰＤＵの終わりの後、別のＰＰＤＵがＳＩＦＳまたはＲＩＦＳの時間間隔２０８に続くことを示す、ＲＤＧ／Ｍｏｒｅ  ＰＰＤＵフィールドが１にセットされた、ブロックＡＣＫフレーム２０６の送信に応答する。
【００２６】
ＳＴＡ−Ｂは、暗黙のブロックＡＣＫ要求（implicit  Block  ACK  request）にセットされたＡＣＫポリシーと共にＳＴＡ−ＡにＰＰＤＵ（応答バーストの第２のＰＰＤＵ）２１０を送信する。このＰＰＤＵはまた、これが応答バーストの最後のＰＰＤＵであることを示す、ＲＤＧ／Ｍｏｒｅ  ＰＰＤＵフィールドが０にセットされたＨＴＣフィールドを含む１つ以上のＭＰＤＵを含む。
【００２７】
ＳＴＡ−Ａ（ＲＤイニシエータ）は、ＴｘＯＰのコントロールを回復（regain）し、ＲＤ応答バーストにおいてＳＴＡ−Ｂによって送信されたＭＰＤＵの受信を確認応答するために、ＳＴＡ−ＢにアドレスされたブロックＡＣＫ  ＭＰＤＵ２１２を送信する。
【００２８】
この例において、ＳＴＡ−Ａ（ＲＤイニシエータ）は、ＳＴＡ−Ｃ（新しいＲＤレスポンダ）にアドレスされたＭＰＤＵを含んでいるＰＰＤＵ２１４を送信する。このＰＰＤＵの中のＱｏＳデータＭＰＤＵのＡＣＫポリシーフィールドは、暗黙のブロックＡＣＫ要求にセットされる。このＰＰＤＵは、ＲＤＧを示す、ＲＤＧ／Ｍｏｒｅ  ＰＰＤＵフィールドが１にセットされた１つ以上のＨＴＣ  ＭＰＤＵを含んでいる。このＰＰＤＵの中のＭＰＤＵの期間／ＩＤフィールドは、ＴｘＯＰ＝ｔ０（μｓ）の残存時間期間２１６を含んでいる。
【００２９】
これを受けて、ＳＴＡ−Ｃ（ＲＤレスポンダ）は、これが応答バーストの最後のＰＰＤＵであることを示す、ＲＤＧ／Ｍｏｒｅ  ＰＰＤＵフィールドが０にセットされたもう１つのＨＴＣ  ＭＰＤＵを含むＰＰＤＵ２１８をＳＴＡ−Ａに送信する。このＰＰＤＵは、暗黙のブロックＡＣＫ要求にセットされたＡＣＫポリシーフィールドを備えたＱｏＳデータＭＰＤＵに加えて、ＳＴＡ−Ａからの前のＰＰＤＵの暗黙のブロックＡＣＫ要求への応答フレームであるブロックＡＣＫ  ＭＰＤＵを含んでいる。
【００３０】
ＳＴＡ−Ａ（ＲＤイニシエータ）は、ＴｘＯＰのコントロールを回復し、ＳＴＡ−Ｃによって送信されたＭＰＤＵを確認応答するブロックＡＣＫ  ＰＰＤＵ２２０を送信する。このＰＰＤＵは、ＲＤＧを示す、１にセットされたＲＤＧ／Ｍｏｒｅ  ＰＰＤＵフィールドを備えた１つ以上のＨＴＣ  ＭＰＤＵを含んでいる。ＰＰＤＵの中のＭＰＤＵの期間／ＩＤフィールドは、ＴｘＯＰ＝ｔ１（μｓ）の残存時間期間２２２を含む。
【００３１】
これを受けて、ＳＴＡ−Ｃ（ＲＤレスポンダ）は、暗黙のブロックＡＣＫにセットされたＡＣＫポリシーおよび０にセットされたＲＤＧ／Ｍｏｒｅ  ＰＰＤＵフィールドを備えた１つ以上のＱｏＳ  Ｄａｔａ  ＨＴＣ  ＭＰＤＵを含んでいるＰＰＤＵ２２４をＳＴＡ−Ａに送信する。これは応答バーストにおけるただ１つのＰＰＤＵである。
【００３２】
これを受けて、ＳＴＡ−Ａ（ＲＤイニシエータ）は、前のＲＤ応答バーストにおけるＳＴＡ−Ｃによって送信されたＭＰＤＵを確認応答するブロックＡＣＫ２２６をＳＴＡ−Ｃに送信する。
【００３３】
このように、図２は、従来の逆方向許可を利用する送信局ＳＴＡ−Ａと受信局ＳＴＡ−ＢおよびＳＴＡ−Ｃ間の送信と受信の交換を例示する。
【００３４】
拡張された逆方向許可  さまざまな態様において、ＡＰＰＤＵ、一方向、または双方向のＯＦＤＭＡあるいはＳＤＭＡ、あるいはＯＦＤＭＡ＋ＳＤＭＡ送信技術および他の多元接続技術、あるいはそれらの組み合わせを使用する多数のユーザに対してＲＤＧを拡張するよう動作する拡張ＲＤＧシステムが提供される。例えば、多数のユーザに関して、拡張ＲＤＧシステムの動作が下記に述べられる。
【００３５】
１．  ＲＤＧ／Ｍｏｒｅ  ＰＰＤＵフィールドが１にセットされた１つ以上のＨＴＣ  ＭＰＤＵを含むＰＰＤＵによって示されたＲＤＧ指標を含む、ＴｘＯＰホルダによる多数のＳＴＡへのＡＰＰＤＵ／ＯＦＤＭＡ、ＰＰＤＵ／ＳＤＭＡ、ＰＰＤＵ送信。これらのＰＰＤＵを送信するＳＴＡはＲＤイニシエータとして知られている。このＲＤイニシエータのための規則は、単一のＲＤ交換シーケンスの間、つまり、ＲＤ許可ＰＰＤＵの送信の後でありかつそのＲＤ交換での最後のＰＰＤＵの終わりまで、にのみ適用される。
【００３６】
２．  ＲＤイニシエータ（ＴｘＯＰホルダ）によるＲＤ許可を受信するＳＴＡによる１つ以上のＰＰＤＵ（ＲＤ  ＳＤＭＡ応答バースト（Ｒｅｓｐｏｎｓｅ  Ｂｕｒｓｔ））のＯＦＤＭＡ／ＳＤＭＡ送信。ＳＤＭＡ  ＲＤ応答バーストの最後の（あるいは唯一の）ＰＰＤＵは、即時のブロックＡＣＫあるいはＡＣＫ応答を要求するいくつかのＭＰＤＵを含む。ＲＤバーストを送信するＳＴＡは、ＲＤレスポンダとして知られている。ＲＤレスポンダのための規則は単一のＲＤ交換シーケンス中にのみ適用される。例えば、規則は、ＳＤＭＡ／ＯＦＤＭＡ  ＲＤＧ  ＰＰＤＵの受信の後でありかつＲＤＧ／Ｍｏｒｅビットが０にセットされたＲＤレスポンダによるＰＰＤＵの送信まで、適用される。
【００３７】
３．  ＲＤ応答バーストの最後のＰＰＤＵによって要求される場合に、即時のブロックＡＣＫあるいはＡＣＫ  ＭＰＤＵを含んでいるＲＤイニシエータによるＡＰＰＤＵ／ＳＤＭＡ  ＰＰＤＵ／ＯＦＤＭＡ  ＰＰＤＵの送信。ＲＤＧ／Ｍｏｒｅビットが０にセットされたＲＤイニシエータの最後のＰＰＤＵによって要求される場合に、即時のブロックＡＣＫあるいはＡＣＫ  ＭＰＤＵを含んでいるＲＤレスポンダによるＰＰＤＵの送信。
【００３８】
このようにさまざまな態様において、拡張ＲＤＧシステムは、増加帯域幅効率および／または処理能力を提供するように動作し、ＴＤＭＡ、ＳＤＭＡ、ＯＦＤＭＡ、ＣＤＭＡ、および／またはそれらの組み合わせのようなさまざまな送信技術を使用するネットワークにおいてインプリメントされ得る。
【００３９】
１つの態様において、アップリンク上でＳＤＭＡまたはＯＦＤＭＡ、あるいはＳＤＭＡ＋ＯＦＤＭＡを使用すると同時に、ＴｘＯＰホルダあるいはＲＤイニシエータは、ＯＦＤＭＡに関して所定の周波数トーンを、またはＳＤＭＡに関して所定の空間次元（Ｓｐａｔｉａｌ  Ｄｉｍｅｎｓｉｏｎ）を、あるいはＳＤＭＡ＋ＯＦＤＭＡに関して周波数のトーンと空間次元の両方を、使用するように、受信ＳＴＡをスケジューリングすることを担当する（responsible  for）。
【００４０】
別の態様において、ＯＦＤＭＡまたはＳＤＭＡのようなマルチアクセスのスキームを使用すると同時に、スケジュールはまた、ＱｏＳ、優先度などのような他のパラメータに加えて送信のためにＳＴＡがバッファしたデータ量にも基づく、という事実が考慮される。そのような考慮なしでは、いくつかの局においてバッファは不足するかもしれず、それは浪費された周波数および空間次元に結びつく。１つの態様では、効率的な周波数および空間の再使用のための効率的なスケジューリングメカニズムを提供するために、バッファーステータス（ｂｕｆｆｅｒ  ｓｔａｔｕｓ：ＢＳ）指標がＳＴＡによって使用される。
【００４１】
１つの態様において、バッファーステータスはＱｏＳフレームの一部であり、複数の局は、それらのバッファーステータス（現在のバッファーステータスおよびある時間期間にわたる統計平均）をスケジューリング局に示すことができ、それにより、このＳＴＡに周波数トーンあるいは空間次元を割り当てる場合にこの情報に重みが加えられる。１つの態様において、このメカニズムは、ＯＦＤＭＡまたはＳＤＭＡ、あるいは、ＯＦＤＭＡ＋ＳＤＭＡを使用してＲＤイニシエータおよび／またはＲＤレスポンダを備えたＲＤＧシーケンスを始める前に、トレーニング要求（ｔｒａｉｎｉｎｇ  ｒｅｑｕｅｓｔ：ＴＲＱ）メカニズムと結合することができる。次の記述は、拡張ＲＤＧシステムの態様におけるＡＰＰＤＵ／ＳＤＭＡ、ＰＰＤＵ／ＯＦＤＭＡおよびＰＰＤＵの使用を例示する。
【００４２】
図３は、拡張ＲＤＧシステムの態様に従って拡張ＲＤＧ動作を例示する図３００を示す。拡張ＲＤＧシステムは、追加的なコンテンション（contention）なしに多数の受信ノードが送信機にデータを送り返すことを許すことにより、送信ノードによって獲得されたＴｘＯＰを効率的に利用する。最初の送り手がＴｘＯＰ期間全体を利用するために十分なフレームを持っていない場合、これは特に有用である。さらに、このシステムはリバースリンク上のコンテンションアクセスをセーブ（save  on）することによりＭＡＣ効率を増加させる。１つの態様において、ＲＤイニシエータ（最初の送り手、ＴｘＯＰホルダ）は、ＨＴＣフィールドにおいてビット「ＲＤＧ／Ｍｏｒｅ  ＰＰＤＵ」を１にセットすることにより、逆方向の送信機会を許可する。
【００４３】
１つのインプリメンテーションにおいて、ＲＤイニシエータは、ＴｘＯＰ内でデータに応答する場合に個々のそれぞれのノードによって使用される時間、周波数、空間ストリームあるいはそれらの組合せを含む送信リソースを特定する。例えば、ＲＤイニシエータは、複数ノードへのデータ送信における１つ以上のリソース識別子を符号化することから開始する。そして、各ノードは、リソース識別子に基づいて、それがＲＤイニシエータへのデータ返送のために使用する送信リソースを識別する。
【００４４】
さらに別の態様において、最初のデータ送信においてリソース識別子を含むことは、受信ノードへの暗黙のＲＤＧとして動作する。したがって、この場合、特定のＨＴＣフィールドにおけるビットを、ＲＤＧを有効にするようにセットする必要はない。例えば、受信ノードはＲＤイニシエータからデータ送信を受信し、データ送信がＲＤＧの目的でリソース識別子を含むことを判断する。そして、受信ノードは、リソース識別子が検知されたので、ＲＤＧが有効にされたと判断する。したがって、ＲＤイニシエータは、２つの方法のうちの１つでＲＤＧを示し得る。第１の方法では、特定のＨＴＣフィールドにおいてあるビットがセットされる。第２の方法では、リソース識別子が最初のデータ送信に含まれる。
【００４５】
下記は、ＳＤＭＡ送信技術を利用して多数のアクセス端末とデータを交換するための拡張ＲＤＧシステムの動作を記述する。
【００４６】
ＳＤＭＡトランザクションは、ＳＤＭＡ送信を始めるアクセスポイント３０４によるトレーニング要求メッセージ（ｔｒａｉｎｉｎｇ  ｒｅｑｕｅｓｔ  ｍｅｓｓａｇｅ：ＴＲＭ）３０２の送信から始まる。ＴＲＭメッセージに応じて、各ＲＤレスポンダからのサウンディングフレーム３０６が受け取られた後、すべての応答ＳＴＡのバッファーステータスが知られる。また、ＲＤイニシエータは、これらの局の各々へのチャネルについての知識を持っている。この情報は、強健な送信／受信のために適切な変調符号化スキームを使用するために必要である。従って、ＲＤイニシエータ（ＡＰ３０４）は、これらのＳＴＡにＲＤ送信機会を許可することについて、十分な情報を得た上で決定を下すことができる。
【００４７】
ＲＤイニシエータ（ＡＰ３０４）は、送信チャネルをクリア（clear）するためにＣＴＳ（clear  to  send）を実行する（ＣＴＳ−Ｔｏ−Ｓｅｌｆ）３０８。そして、ＲＤイニシエータ３０４はデータ３１０を送信し、最大残存ＴｘＯＰ期間を備えたＲＤＧを示す。示された最大の許容期間までのこの期間の使用は、受信ＳＴＡの自由裁量による。ダウンリンク上の各ＭＰＤＵ（ＡＭＰＤＵ内の）は、ブロックＡＣＫ送信オフセットを示す。全てのＳＤＭＡ送信の受信者（recipient）は指定されたスケジュールで、ＳＤＭＡブロックＡＣＫ３１２で応答する。
【００４８】
（３１４に示される）リバースリンク上のデータ送信は、もしあれば、ブロックＡＣＫ３１２の送信に続く、ＳＩＦＳ期間３１６の後に開始するだろう。これは、ブロックＡＣＫ情報フィールドに定義されたブロックＡＣＫ送信ＭＣＳに対応する。ＲＤイニシエータ（ＡＰ３０４）はＲＤレスポンダからデータを受信し、対応するブロックＡＣＫ３１８を送信する。
【００４９】
このように、拡張ＲＤＧシステムは、多数の局にＲＤＧを提供し、それによって帯域幅利用およびネットワーク効率を増加させるように動作する。
【００５０】
図４は、拡張ＲＤＧシステムの態様において送信のためにＳＤＭＡを使用するＲＤイニシエータおよびＲＤレスポンダを備える拡張ＲＤＧ動作を例示する図４００を示す。今度は図４を参照すると、次の動作が実行される。
【００５１】
１．ＳＴＡ−Ａ（ＲＤイニシエータ）は、局ＳＴＡ−Ｂ、ＳＴＡ−Ｃ、ＳＴＡ−ＤおよびＳＴＡ−Ｄ（ＲＤレスポンダ）にＳＤＭＡ  ＰＰＤＵ４０２を送る。
【００５２】
これらのＳＤＭＡ  ＰＰＤＵは、暗黙のブロックＡＣＫ要求にセットされたＡＣＫポリシーフィールドを備えたＱｏＳデータのＭＰＤＵを含む。このＰＰＤＵにおけるＭＳＤＵの１つ以上は、ＲＤＧを示す、１にセットされたＲＤＧ  ＰＰＤＵフィールドを備えたＨＴＣフィールドを含む。期間／ＩＤフィールドは、ＴｘＯＰの残存期間を含んでいる。
【００５３】
２．ＲＤレスポンダ（ＳＴＡ−Ｂ、ＳＴＡ−Ｃ、ＳＴＡ−ＤおよびＳＴＡ−Ｅ）は、これが応答バーストにおける最後のＰＰＤＵであることを示す、ＲＤＧフィールドが０にセットされた１つ以上のＶＨＴＣ  ＭＰＤＵを含んでいるＳＤＭＡ  ＰＰＤＵ４０４でＳＴＡ−Ａへ応答する。このＰＰＤＵは、暗黙のブロックＡＣＫ要求にセットされたＡＣＫポリシーフィールドを備えたＱｏＳデータＭＰＤＵに加えて、ＳＴＡ−Ａからの前のＰＰＤＵの暗黙のブロックＡＣＫ要求への応答フレームであるブロックＡＣＫ  ＭＰＤＵを含んでいる。
【００５４】
３．ＳＴＡ−Ａ（ＲＤイニシエータ）は、ＴｘＯＰに対するコントロールを回復し、局ＳＴＡ−Ｂ、ＳＴＡ−Ｃ、ＳＴＡ−ＤおよびＳＴＡ−Ｅ（ＳＤＭＡ  ＲＤレスポンダ）にＳＤＭＡ  ＰＰＤＵ４０６を送る。これらの送信の第１の（あるいは唯一の）ＭＰＤＵは、ＲＤレスポンダからのＳＤＭＡ応答バーストに応じてブロックＡＣＫを含む。このＰＰＤＵの中のＭＳＤＵの１つ以上は、ＳＤＭＡ  ＲＤＧを示す、１にセットされたＲＤＧ  ＰＰＤＵフィールドを備えたＶＨＴ制御フィールドを含む。期間／ＩＤフィールドは、ＴｘＯＰの残存時間期間を含む。
【００５５】
４．ＲＤレスポンダ（ＳＴＡ−Ｂ、ＳＴＡ−Ｃ、ＳＴＡ−ＤおよびＳＴＡ−Ｅ）は、これが応答バーストにおける最後のＰＰＤＵであることを示す、０にＲＤＧフィールドがセットされた１つ以上のＶＨＴＣ  ＭＰＤＵを含むＳＤＭＡ  ＰＰＤＵ４０８でＳＴＡ−Ａへ応答する。ＰＰＤＵは、ＳＴＡ−Ａからの前のＰＰＤＵへの暗黙のブロックＡＣＫ要求への応答フレームであるブロックＡＣＫ  ＭＰＤＵを含む。今度は、ＳＴＡ−ＣおよびＳＴＡ−Ｄは送信するべきＱｏＳデータをそれ以上持っておらず、それゆえに、これらの局からのＳＤＭＡ  ＰＰＤＵはブロックＡＣＫ  ＭＰＤＵだけを含む。ＳＴＡ−ＢおよびＳＴＡ−Ｅは、暗黙のブロックＡＣＫ要求にセットされたＡＣＫポリシーフィールドを備えたＱｏＳデータＭＰＤＵに加え、ブロックＡＣＫを含むＳＤＭＡ  ＰＰＤＵで応答する。
【００５６】
５．ＳＴＡ−Ａ（ＲＤイニシエータ）は、ＴｘＯＰのコントロールを回復し、ＲＤレスポンダ（ＳＴＡ−Ｂ、ＳＴＡ−Ｃ、ＳＴＡ−ＤおよびＳＴＡ−Ｅ）にＳＤＭＡ  ＰＰＤＵ  ４１０を送信する。ＳＴＡ−ＢおよびＳＴＡ−ＥへのＳＤＭＡ  ＰＰＤＵは、前の暗黙のブロックＡＣＫ要求に応じてブロックＡＣＫ  ＭＰＤＵを含む。このＰＰＤＵにおける１つ以上のＭＰＤＵは、０にセットされたＲＤＧ  ＰＰＤＵフィールドを備えたＶＨＴ制御フィールドを含む。これは、このＴｘＯＰの中のＲＤＧの終わりを示す。このＳＤＭＡ  ＰＰＤＵにおけるＭＰＤＵの期間／ＩＤフィールドは、残存するＴｘＯＰ時間期間を含んでいる。
【００５７】
６．ＳＤＭＡ  ＲＤレスポンダ（ＳＴＡ−Ｂ、ＳＴＡ−Ｃ、ＳＴＡ−ＤおよびＳＴＡ−Ｅ）は、ＳＴＡ−Ａによって送信されたＭＰＤＵを確認応答するブロックＡＣＫ４１２をＳＴＡ−Ａへ送信する。
【００５８】
このように、拡張ＲＤＧシステムのさまざまな態様はまた、送信機からの明示的なブロック確認応答要求（ｂｌｏｃｋ  ａｃｋｎｏｗｌｒｄｇｅｍｅｎｔ  ｒｅｑｕｅｓｔ：ＢＡＲ）の必要をなくすように動作し、それは、貴重なシステムリソースを節約し得る。例えば、明示的なＢＡＲは、ＰＬＣＰ  プリアンブル＋ＰＬＣＰ信号フィールド＋サービス＋テール（Ｔａｉｌ）およびパッド（Ｐａｄ）ビットの付加的なオーバヘッドを備えた２４バイトのＭＡＣヘッダでありえる。さらに、さまざまな態様は、従来手法と比較して、送信機のバッファーレベルが比較的低く保たれることを保証する。さらに、さまざまな対応は、ＲＤＧの他の受信者へ、ＳＤＭＡの場合は空間ストリーム、ＯＦＤＭＡの場合は更なる帯域幅、あるいは、結合したＳＤＭＡ＋ＯＦＤＭＡスキームの場合は両方を再割当てすることに関して、ＲＤイニシエータに柔軟性を提供する。したがって、増加した送信データレートおよび／またはより多くの強健な送信が達成され得る。さらに、空間と周波数の再使用は増加し得る、およびより効率的であり得る。
【００５９】
図５は、拡張ＲＤＧシステムの態様で使用されるＳＤＭＡを使用するＲＤイニシエータおよびＯＦＤＭＡを使用するＲＤレスポンダを備えた拡張ＲＤＧの態様を例示する図５００を示す。
【００６０】
５０２で、ＳＴＡ−Ａは、局ＳＴＡ−ＢからＳＴＡ−Ｅまでへデータを送るためにＴｘＯＰの間ＳＤＭＡを使用するＲＤイニシエータである。データ送信は、受信局に、ＴｘＯＰの残りの部分において、それらがそれらのデータを送信してもよいことを通知する、ＲＤＧ指標を含む（つまり、ＲＤＧ＝１）。
【００６１】
５０４で、受信局（ＲＤレスポンダ）は、ＯＦＤＭＡを使用して、データ送信に応じてブロックＡＣＫを送信し、全ての受信局はまた、ＴｘＯＰの示された部分においてＳＴＡ−Ａにいくつかのデータを返送する。
【００６２】
５０６で、ＳＴＡ−Ａは、ＲＤレスポンダからのデータを確認応答するためにブロックＡＣＫを送信し、次に、受信局にＴｘＯＰの残りの部分においてそれらがそれらのデータを送信してもよいことを通知する、ＲＤＧ指標を含む追加のデータを再び送信する。
【００６３】
５０８で、ＲＤレスポンダは、受信データに応じてブロックＡＣＫを送信し、局ＳＴＡ−ＢおよびＳＴＡ−Ｅはまた、ＲＤＧを利用してＴｘＯＰの残りの部分においてＳＴＡ−Ａに追加のデータを返送する。
【００６４】
５１０で、ＳＴＡ−Ａは、ＳＴＡ−ＢおよびＳＴＡ−Ｅからのデータを確認応答するためにブロックＡＣＫを送信し、次に、ＲＤＧ指標を含んでいない（つまりＲＤＧ＝０の）追加のデータを送信し、それによりＲＤレスポンダがＳＴＡ−Ａにデータを送ってはならないことを示す。
【００６５】
５１２で、ＲＤレスポンダは受信データに応じてブロックＡＣＫを送信する。
【００６６】
図６は、拡張ＲＤＧシステムの態様で使用されるＡＰＰＤＵを使用するＲＤイニシエータとＳＤＭＡを使用するＲＤレスポンダを備えた拡張ＲＤＧの態様を例示する図６００を示す。
【００６７】
６０２で、ＳＴＡ−Ａは、局ＳＴＡ−ＢからＳＴＡ−Ｅまでへデータを送信するためにＴｘＯＰの間ＡＰＰＤＵを使用するＲＤイニシエータである。ＡＰＰＤＵデータ送信は、受信局に、ＴｘＯＰの残りの部分においてそれらがそれらのデータを送信してもよいことを通知する、ＲＤＧ指標を含む（つまり、ＲＤＧ＝１）。
【００６８】
６０４で、受信局（ＲＤレスポンダ）は、ＳＤＭＡを使用して、データ送信に応じてブロックＡＣＫを送信し、全ての受信局はまた、ＴｘＯＰの示された部分においてＳＴＡ−Ａにいくつかのデータを返送する。
【００６９】
６０６で、ＳＴＡ−Ａは、受信局に、ＴｘＯＰの残りの部分においてそれらがそれらのデータを送信してもよいことを通知する、ＲＤＧ指標を含む追加のデータを、再度送信する。
【００７０】
６０８で、ＲＤレスポンダＳＴＡ−ＢおよびＳＴＡ−Ｅは受信データに応じてブロックＡＣＫを送信し、また、ＲＤＧを利用して、ＴｘＯＰの残りの部分においてＳＴＡ−Ａに追加のデータを返送する。
【００７１】
６１０で、ＳＴＡ−Ａは、ＲＤＧ指標を含まない（つまり、ＲＤＧ＝０の）追加のデータを送信し、それによってＲＤレスポンダがＳＴＡ−Ａにデータを送信してはいけないことを示す。
【００７２】
６１２で、ＲＤレスポンダは受信データに応じてブロックＡＣＫを送信する。
【００７３】
図７は、拡張ＲＤＧシステムの態様で使用されるＡＰＰＤＵを使用するＲＤイニシエータおよびＯＦＤＭＡを使用するＲＤレスポンダを備えた拡張ＲＤＧの態様を例示する図７００を示す。
【００７４】
７０２で、ＳＴＡ−Ａは、局ＳＴＡ−ＢからＳＴＡ−Ｅまでへデータを送信するためにＴｘＯＰの間にＡＰＰＤＵを使用するＲＤイニシエータである。データ送信は、受信局にＴｘＯＰの残りの部分においてそれらがそれらのデータを送信してもよいことを通知する、ＲＤＧ指標を含む（つまり、ＲＤＧ＝１）。
【００７５】
７０４で、受信局（ＲＤレスポンダ）は、ＯＦＤＭＡを使用して、データ送信に応じてブロックＡＣＫを送信し、全ての受信局はまた、ＴｘＯＰの示された部分においてＳＴＡ−Ａにいくつかのデータを返送する。
【００７６】
７０６で、ＳＴＡ−Ａは、受信局に、ＴｘＯＰの残りの部分においてそれらがそれらのデータを送信してもよいことを通知するＲＤＧ指標を含む追加のデータを再び送信する。
【００７７】
７０８で、ＲＤレスポンダＳＴＡ−ＢおよびＳＴＡ−Ｅは、受信データに応じてブロックＡＣＫを送信し、また、ＲＤＧを利用してＴｘＯＰの残りの部分においてＳＴＡ−Ａに追加のデータを返送する。
【００７８】
７１０で、ＳＴＡ−Ａは、ＲＤＧ指標を含んでいない（つまり、ＲＤＧ＝０の）追加のデータを送信し、それによりＲＤレスポンダがＳＴＡ−Ａにデータを送信してはいけないことを示す。
【００７９】
７１２で、ＲＤレスポンダは受信データに応じてブロックＡＣＫを送信する。
【００８０】
図８は、拡張ＲＤＧシステムの態様で使用されるＯＦＤＭＡを使用するＲＤイニシエータおよびＯＦＤＭＡを使用するＲＤレスポンダを備えた拡張ＲＤＧの態様を例示する図８００を示す。
【００８１】
８０２で、ＳＴＡ−Ａは、局ＳＴＡ−ＢからＳＴＡ−Ｅまでへデータを送信するためにＴｘＯＰの間にＯＦＤＭＡを使用するＲＤイニシエータである。データ送信は、受信局に、ＴｘＯＰの残りの部分においてそれらがそれらのデータを送信してもよいことを通知する、ＲＤＧ指標を含む（つまり、ＲＤＧ＝１）。
【００８２】
８０４で、受信局（ＲＤレスポンダ）は、ＯＦＤＭＡを使用してデータ送信に応じてブロックＡＣＫを送信し、すべての受信局はまた、ＴｘＯＰの示された部分においてＳＴＡ−Ａにいくつかのデータを返送する。
【００８３】
８０６で、ＳＴＡ−Ａは、受信局に、ＴｘＯＰの残りの部分においてそれらがそれらのデータを送信してもよいことを通知するＲＤＧ指標を含む追加のデータおよびブロックＡＣＫを再び送信する。
【００８４】
８０８で、ＲＤレスポンダＳＴＡ−ＢおよびＳＴＡ−Ｅは、受信データに応じてブロックＡＣＫを送信し、また、ＲＤＧを利用してＴｘＯＰの残りの部分においてＳＴＡ−Ａに追加のデータを返送する。
【００８５】
８１０で、ＳＴＡ−Ａは、ＲＤＧ指標を含んでいない（つまりＲＤＧ＝０の）追加のデータを送信し、それによりＲＤレスポンダがＳＴＡ−Ａにデータを送信してはいけないことを示す。
【００８６】
８１２で、ＲＤレスポンダは、受信データに応じてブロックＡＣＫを送信する。
【００８７】
図９は、拡張ＲＤＧシステムの態様で使用されるＯＦＤＭＡを使用するＲＤイニシエータおよびＳＤＭＡを使用するＲＤレスポンダを備えた拡張ＲＤＧの態様を例示する図を示す。
【００８８】
９０２で、ＳＴＡ−Ａは、局ＳＴＡ−ＢからＳＴＡ−Ｅまでへデータを送信するためにＴｘＯＰの間にＯＦＤＭＡを使用するＲＤイニシエータである。
【００８９】
データ送信は、受信局に、ＴｘＯＰの残りの部分においてそれらがそれらのデータを送信してもよいことを通知するＲＤＧ指標を含む（つまり、ＲＤＧ＝１）。
【００９０】
９０４で、受信局（ＲＤレスポンダ）は、ＳＤＭＡを使用してデータ送信に応じてブロックＡＣＫを送信し、全ての受信局はまた、ＴｘＯＰの示された部分においてＳＴＡ−Ａにいくつかのデータを返送する。
【００９１】
９０６で、ＳＴＡ−Ａは、ブロックＡＣＫ、および、受信局にＴｘＯＰの残りの部分においてそれらがそれらのデータを送信してもよいことを通知するＲＤＧ指標を含む追加のデータを再び送信する。
【００９２】
９０８で、ＲＤレスポンダＳＴＡ−ＢおよびＳＴＡ−Ｅは、受信データに応じてブロックＡＣＫを送信し、また、ＲＤＧを利用してＴｘＯＰの残りの部分においてＳＴＡ−Ａに追加のデータを返信する。
【００９３】
９１０で、ＳＴＡ−Ａは、ＲＤＧ指標を含んでいない（つまり、ＲＤＧ＝０の）追加のデータを送信し、それによりＲＤレスポンダに、ＳＴＡ−Ａにデータを送信してはいけないことを示す。
【００９４】
９１２で、ＲＤレスポンダは受信データに応じてブロックＡＣＫを送信する。
【００９５】
図１０は、拡張ＲＤＧシステムの態様で使用されるＯＦＤＭＡ＋ＳＤＭＡを使用するＲＤイニシエータおよびＯＦＤＭＡ＋ＳＤＭＡを使用するＲＤレスポンダを備えた拡張ＲＤＧの態様を例示する図１０００を示す。
【００９６】
図１１は、拡張ＲＤＧシステムの態様にしたがって動作するよう構成されるアクセスポイント１１０２およびアクセス端末１１０４の態様を例示する図を示す。例えば、アクセスポイント１１０２は図１に示されるアクセスポイント１１０ｘとして使用するのにふさわしく、アクセス端末１１０４は、同様に図１に示される端末１２０ｙとして使用するのにふさわしい。
【００９７】
ダウンリンクとアップリンクの通信のためのアクセスポイント１１０２および端末１１０４による処理は、さらに詳細に以下に記述される。さまざまな態様において、アップリンクのための処理は、ダウンリンクのための処理と同じ、あるいは、異なる、あるいは相補的（complementary  to）であり得る。
【００９８】
アクセスポイント１１０２でのダウンリンク処理に関して、送信（ＴＸ）データプロセッサ１１０８は、データソース１１０６からのトラフィックデータ（すなわち、情報ビット）、および、コントローラ１１１８およびことによるとスケジューラ１１１６からの、シグナリングおよび他の情報を受信する。コントローラは、メモリ１１２０にアクセスするように動作可能である。これらのさまざまなタイプのデータは、異なるトランスポートチャネル上で送信され得る。ＴＸデータプロセッサ１１１０は、データを「フレーム化（frames）」し（必要ならば）、フレーム化された／フレーム化されていないデータをスクランブルし、スクランブルされたデータを符号化し、符号化されたデータをインターリーブ（つまり、再配列）し、インターリーブされたデータを変調シンボルへマッピングする。単純化のために、「データシンボル」はトラフィックデータのための変調シンボルを指し、また、「パイロットシンボル」はパイロットのための変調シンボルを指す。スクランブルすることは、データビットをランダム化する。符号化することは、データ送信の信頼性を増加させる。インターリーブすることは、コードビットに時間、周波数、および／または空間ダイバーシティを提供する。スクランブリング、符号化、および変調は、コントローラ１１１８によって提供される制御信号に基づいて実行され得、さらに詳細に下に記述される。ＴＸデータプロセッサ１１０８は、データ送信に使用される個々の空間チャネルに変調シンボルのストリームを提供する。
【００９９】
ＴＸ空間プロセッサ１１１０は、ＴＸデータプロセッサ１１０８から１つ以上の変調シンボルストリームを受信し、変調シンボルに空間処理を実行して、変復調装置（modulators/demodulators）１１１２ａ−ｄに送信シンボルの４つのストリームを、すなわち、各送信アンテナ１１１４ａ−ｄに対して１つのストリームを提供する。空間処理は、さらに詳細に以下に記述される。ＴＸデータプロセッサ１１０８およびコントローラ１１１８はデータユニットをアグリゲート（aggregate）すること、およびＷＬＡＮプロトコルを収容（accommodate）するのに必要な階層化（layering）を実行することができる。例えば、ＴＸデータプロセッサ１１０８およびコントローラ１１１８は、０または１にセットされたＲＤＧ指標を有する、上に記述されたようなＰＰＤＵを生成するように動作可能である。
【０１００】
変復調装置（ＭＯＤＥＭ）１１２２ａ−ｄはそれぞれ、それぞれの送信シンボルストリームを受信および処理し、対応するＯＦＤＭシンボルのストリームを提供する。ＯＦＤＭシンボルストリームはそれぞれ、対応するダウンリンク変調信号を提供するためにさらに処理される。変復調装置１１１２ａから１１１２ｄまでの４つのダウンリンク変調信号は、次に、それぞれ、１１１４ａから１１１４ｄまでの４つのアンテナから送信される。
【０１０１】
端末１１０４でのダウンリンク処理に関して、１つあるいは複数の受信アンテナ１１２８ａ−ｄは、送信されたダウンリンク変調信号を受信し、各受信アンテナは、それぞれの復調器／変調器１１３０ａ−ｄに受信信号を提供する。各復調器１１３０ａ−ｄは、変調器１１１２において実行された処理と相補的な処理を実行し、受信シンボルを提供する。その後、受信（ＲＸ）空間プロセッサ１１３２は、すべての復調器１１３０からの受信シンボルに空間処理を実行して、アクセスポイント１１０２によって送られた変調シンボルの推定値である、回復されたシンボルを提供する。回復された記号は、ＲＸデータプロセッサ１１３４に提供される。
【０１０２】
ＲＸデータプロセッサ１１３４は、回復されたシンボルを受信し、それらのそれぞれのトランスポートチャネルへ、多重分離する。各トランスポートチャネルの回復されたシンボルは、そのトランスポートチャネルに復号されたデータを提供するために逆マッピングされ、逆インターリーブされ、復号され、スクランブル解除されたシンボルであり得る。各トランスポートチャネルの復号されたデータは、回復されたパケットデータ、メッセージ、シグナリングなどを含み得、それらは記憶のためにデータシンク１１３６へおよび／またはさらなる処理のためにコントローラ１１４０へ提供される。コントローラ１１４０は、メモリ１１３８にアクセスするように動作可能である。受信データはまた、０または１にセットされたＲＤＧ指標を持っている上に記述されるようなさまざまなＰＰＤＵであり得る。
【０１０３】
同様に、ダウンリンクに関して、端末１１０４のような各アクティブユーザ端末において、ＲＸ空間プロセッサ１１３２はさらに、チャネル状態情報（ｃｈａｎｎｅｌ  ｓｔａｔｅ  ｉｎｆｏｒｍａｔｉｏｎ：ＣＳＩ）を得るためにダウンリンクを推定する。ＣＳＩは、チャネル応答推定値、受信されたＳＮＲなどを含み得る。ＲＸデータプロセッサ１１３４はまた、ダウンリンク上で受信される各パケット／フレームのステータスを提供し得る。コントローラ１１４０は、チャネル状態情報およびパケット／フレームステータスを受信し、アクセスポイント１１０２へ返送されるべきフィードバック情報を決定する。フィードバック情報は、上に記述されたようなＡＣＫ、ＢＡおよびデータを含む。
【０１０４】
端末１１０４でのアップリンク処理に関して、フィードバック情報は、ＴＸデータプロセッサ１１４４およびＴＸ空間プロセッサ１１４２（存在する場合）によって処理され、１以上の変調器１１３０ａ−ｄによって条件付けられ、アクセスポイント１１０２へ１以上のアンテナ１１２８ａ−ｄを通して返信される。データはまたデータソース１１４６からＴＸデータプロセッサに提供され得ることに注意して下さい。
【０１０５】
アクセスポイント１１０２でのアップリンク処理に関して、送信されたアップリンク信号は、アンテナ１１１４ａ−ｄによって受信され、復調器１１１２ａ−ｄによって復調され、ユーザ端末１１０４で実行されたのと相補的なやり方でＲＸ空間プロセッサ１１２６およびＲＸデータプロセッサ１１２４によって処理される。ＲＸデータプロセッサからの情報は、データシンク１１２２へ提供される。受け取られるフィードバックは、上に記述されたようなさまざまなＡＣＫおよびＢＡ、およびデータを含む。その後、回復されたフィードバック情報は、コントローラ１１１８およびスケジューラ１１１６に提供される。
【０１０６】
スケジューラ１１１６は、（１）ダウンリンクとアップリンク上のデータ送信用の１組のユーザ端末を選択する、（２）各選択されたユーザ端末の送信レートおよび送信モードを選択する、（３）選択された端末に利用可能なＦＣＨ／ＲＣＨリソースを割り当てる、などのような多くの機能を実行するためにフィードバック情報を使用する。スケジューラ１１１６および／またはコントローラ１１１８は、さらに、ダウンリンク送信の処理のためにアップリンク送信から得られた情報（例えば、ステアリングベクトル（ｓｔｅｅｒｉｎｇ  ｖｅｃｔｏｒ））を使用する。
【０１０７】
さまざまな態様において、ダウンリンクとアップリンク上のデータ送信に関して多くの送信モードがサポートされる。例えば、アクセスポイント１１０２および端末１１０４は、空間分割、周波数分割、時分割、および符号分割送信モードを備える送信モードを提供するように構成される。
【０１０８】
図１２は、拡張逆方向許可システムの態様で使用される典型的なアクセス端末１２００を示す。例えば、端末１２００は、端末１２００および複数のノードに共通のチャネルを使用して、通信を提供する。１つの態様において、端末１２００は、ここに記述されるような拡張逆方向許可システムの態様を提供するように構成された１つ以上の回路を含む。
【０１０９】
端末１２００は、複数のノードの第１のノードにおいて、共通チャネルを介して第１のデータ通信を受信するための第１の回路１２０２を備え、第１のデータ通信は、複数のノードの他のノードによって復号されることができ、送信機会時間間隔内に受信される。例えば、１つの態様において、第１の回路１２０２はＲＸ空間プロセッサ１１３２を含む。
【０１１０】
端末１２００は、第１のデータ通信が第１の指標を含むかどうか判断するための第２の回路１２０４を含む。例えば、１つの態様において、第２の回路１２０４はコントローラ１１４０を備える。
【０１１１】
端末１２００はまた、データ通信が第１の指標を含む場合に、選択された送信リソースを使用して、送信機会時間間隔内に第２のデータ通信を送信するための第３の回路１２０６を備える。例えば、１つの態様において、第３の回路１２０６は、ＴＸデータプロセッサ１１４４を含む。
【０１１２】
図１３は、拡張逆方向許可システムの態様で使用される典型的なアクセスポイント１３００を示す。例えば、アクセスポイント１３００は、アクセスポイント１３００および複数のノードに共通のチャネルを使用して、通信を提供する。１つの態様において、アクセスポイント１３００は、ここに記述されるような拡張逆方向許可システムの態様を提供するように構成された１つ以上の回路を含む。
【０１１３】
アクセスポイント１３００は、第１の送信リソースを使用する複数のノードに第１のデータを送信するための第１の回路１３０２備え、そこでは第１のデータは送信機会時間間隔内に送信され、第１の指標を備える。例えば、１つの態様において、第１の回路１３０２は、ＴＸデータプロセッサ１１０８を含む。
【０１１４】
アクセスポイント１３００は、第１の指標に応じて、それぞれ、ノードの少なくとも１つのから少なくとも１つのデータ送信を受信するための第２の回路１３０４を備え、そこでは少なくとも１つのデータ送信は、それぞれ、少なくとも１つの第２のデータ送信リソースを使用して送信され、送信機会時間間隔の内に受信される。例えば、１つの態様において、第２の回路１３０４はＲＸデータプロセッサ１１２４備える。
【０１１５】
さまざまな態様において、システムは、１つ以上のプログラム命令（「命令」）またはコンピュータ可読媒体上に記憶されるまたは具体化される「コード」のセットを有するコンピュータプログラム製品を備える。コードが、少なくとも１つのプロセッサ、例えば、ＡＰ  １１０２あるいはＡＴ  １１０４におけるプロセッサによって実行される場合、それらの実行は、プロセッサに、ここに記述されたリバースリンクデータおよび確認応答システムの機能を提供させる。例えば、コンピュータ可読媒体は、フロッピー（登録商標）ディスク、ＣＤＲＯＭ、メモリーカード、ＦＬＡＳＨメモリ装置、ＲＡＭ、ＲＯＭ、あるいは、ＡＰ１１０２またはＡＴ  １１０４をインターフェースする任意の他のタイプのメモリ・デバイスまたはコンピュータ可読媒体を備える。そのコードのセットは、実行された時、ＡＰ１１０２およびＡＴ１１０４に、ここに記述されたさまざまな機能／動作を提供させるように動作する。
【０１１６】
ここでの教示は、さまざまな有線装置あるいは無線装置（例えばノード）に組み入れられ（例えば、それらの中でインプリメントされ、またはそれらによって実行され）得る。いくつかの態様において、ここでの教示に従ってインプリメントされたノードは、アクセスポイントまたはアクセス端末を含み得る。
【０１１７】
いくつかの態様において、ノードは無線ノードである。そのような無線ノードは、例えば、有線の通信リンクまたは無線通信リンクを通じてネットワーク（例えばインターネットまたはセルラーネットワークのような広域ネットワーク）のためのまたはそれへの接続を提供し得る。したがって、ここに開示された態様に関して記述されたさまざまな実例となるロジック、論理ブロック、モジュール、および回路は、汎用プロセッサ、デジタル信号プロセッサ（ｄｉｇｉｔａｌ  ｓｉｇｎａｌ  ｐｒｏｃｅｓｓｏｏｒ：ＤＳＰ）、特定用途向けＩＣ（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）、フィールドプログラマブルゲートアレイ（ｆｉｅｌｄ  ｐｒｏｇｕｒａｍｍａｂｌｅ  ｇａｔｅ  ａｒｒａｙ：ＦＰＧＡ）あるいは他のプログラマブルロジックデバイス、個別ゲートロジックあるいはトランジスタロジック、個別のハードウエアコンポーネント、あるいは、ここに記載された機能を実行するよう設計されたそれらの任意の組み合わせを用いてＡＴあるいはＡＰにおいて、インプリメントされ得る、または実行され得る。汎用プロセッサは、マイクロプロセッサであり得、しかし、代案では、プロセッサは任意の従来のプロセッサ、コントローラ、マイクロコントローラ、あるいはステートマシンであり得る。プロセッサは、また、コンピューティング装置の組み合わせ、例えばＤＳＰとマイクロプロセッサ、複数のマイクロプロセッサ、ＤＳＰコアと接続する１個以上のマイクロプロセッサ、あるいは任意の他のそのような構成との組み合わせとしてインプリメントされ得る。
【０１１８】
ここに開示された態様に関して記述された方法またはアルゴリズムのステップは、ハードウェアにおいて、プロセッサによって実行されるソフトウェアモジュールにおいて、あるいはその２つの組合せにおいて直接具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、あるいは当該技術において良く知られた記憶媒体の任意の他の形式に存在し得る。典型的な記憶媒体は、プロセッサが情報をその記憶媒体に書き込みまたは情報をその記憶媒体から読み出すことができるように、プロセッサに結合されている。代案では、記憶媒体はプロセッサに不可欠であり得る。プロセッサと記憶媒体はＡＳＩＣに存在してもよい。ＡＳＩＣはユーザ端末に存在してもよい。代案では、プロセッサと記憶媒体はユーザ端末の個別のコンポーネントとして存在し得る。
【０１１９】
開示された態様の記述は、当業者が本発明をつくるまたは使用することを可能にするために提供される。これらの態様へのさまざまな修正は、当業者に容易に明白であり得、また、ここに定義された総括的な原理は、発明の範囲から外れずに、例えばインスタントメッセージングサービスあるいは任意の一般的な無線データ通信アプリケーションにおける、他の態様に適用され得る。したがって、この発明は、ここに示された態様に制限されるようには意図されておらず、ここに示された原理と新規な特徴と一致する最も広い範囲を与えられることになる。「典型的（ｅｘｅｍｐｌｙ）」という単語は、「例（ｅｘａｍｐｌｅ）、事例（ｉｎｓｔａｎｃｅ）、あるいは実例（ｉｌｌｕｓｔｒａｔｉｏｎ）として役立つ」ことを意味するためにのみここで使用される。「典型的」としてここで開示されたいずれの態様も、他の態様よりも好まれる、あるいは有利であると、必ずしも解釈されるべきでない。
【０１２０】
従って、無線ローカルエリアネットワークにおけるリバースリンクデータおよび肯定応答の送信のための（方法および装置を備える）拡張逆方向許可システムの態様が、ここに例示および記述されたが、それらの特徴から外れずに、態様にさまざまな変更を行なうことができることは認識されるだろう。したがって、ここでの開示および記述は、続く特許請求の範囲に述べられる発明の範囲を限定するのではなく、実例となるように意図されている。
以下に本願出願当初の特許請求の範囲を付記する。
[Ｃ１]  複数のノードに共通のチャネルを使用する通信のための方法であって、
第１の送信リソースを使用して前記複数のノードに第１のデータを送信することであって、前記第１のデータは送信機会時間間隔内に送信され、第１の指標を備える、送信することと、
前記第１の指標に応じて、前記ノードの少なくとも１つからの少なくとも１つのデータ送信をそれぞれ受信することであって、前記少なくとも１つのデータ送信は、それぞれ、少なくとも１つの第２の送信リソースを使用して送信され、前記送信機会時間間隔内に受信される、受信することを備える方法。
[Ｃ２]  前記少なくとも１つの第２の送信リソースをそれぞれ識別する少なくとも１つのリソース識別子を備えるために前記第１のデータを生成することをさらに備える、Ｃ１の方法。
[Ｃ３]  前記第１の指標は、前記少なくとも１つのリソース識別子を備える、Ｃ２の方法。
[Ｃ４]  前記第１の指標は、第１の状態に設定される前記第１のデータに関連した選択されたビットを備える、Ｃ１の方法。
[Ｃ５]  前記第１の送信リソースは、空間、周波数、時間、および符号分割リソースを備えるセットから選ばれた少なくとも１つのリソースを備える、Ｃ１の方法。
[Ｃ６]  前記少なくとも１つの第２の送信リソースは、空間、周波数、時間、および符号分割リソースを備えるセットから選ばれた少なくとも１つのリソースを備える、Ｃ１の方法。
[Ｃ７]  複数のノードに共通のチャネルを使用する通信のための装置であって、
第１の送信リソースを使用して前記複数のノードに第１のデータを送信するように構成された送信機であって、前記第１のデータは送信機会時間間隔内に送信され、第１の指標を備える、送信機と、
前記第１の指標に応じて、前記ノードの少なくとも１つから少なくとも１つのデータ送信をそれぞれ受信するように構成された受信機であって、前記少なくとも１つのデータ送信は、それぞれ、少なくとも１つの第２の送信リソースを使用して送信され、前記送信機会時間間隔内に受信される、受信機とを備える装置。
[Ｃ８]  前記送信機が、前記少なくとも１つの第２の送信リソースをそれぞれ識別する少なくとも１つのリソース識別子を備える前記第１のデータを生成するように構成される、Ｃ７の装置。
[Ｃ９]  前記第１の指標は、前記少なくとも１つのリソース識別子を備える、Ｃ８の装置。
[Ｃ１０]  前記第１の指標は、第１の状態に設定される前記第１のデータに関連した選択されたビットを備える、Ｃ７の装置。
[Ｃ１１]  前記第１の送信リソースが、空間、周波数、時間、および符号分割リソースを備えるセットから選ばれた少なくとも１つのリソースを備える、Ｃ７の装置。
[Ｃ１２]  前記少なくとも１つの第２の送信リソースは、空間、周波数、時間、および符号分割リソースを備えるセットから選ばれた少なくとも１つのリソースを備える、Ｃ７の装置。
[Ｃ１３]  複数のノードに共通のチャネルを使用する通信のための装置であって、
第１の送信リソースを使用して、前記複数のノードに第１のデータを送信するための手段であって、前記第１のデータは、送信機会時間間隔内に送信され、第１の指標を備える、送信するための手段と、
前記第１の指標に応じて、前記ノードの少なくとも１つから少なくとも１つのデータ送信をそれぞれ受信するための手段であって、前記少なくとも１つのデータ送信は、それぞれ、少なくとも１つの第２の送信リソースを使用して送信され、前記送信機会時間間隔内に受信される、受信するための手段とを備える装置。
[Ｃ１４]  前記送信のための手段は、前記少なくとも１つの第２の送信リソースをそれぞれ識別する少なくとも１つのリソース識別子を備える前記第１のデータを生成するように動作する、Ｃ１３の装置。
[Ｃ１５]  前記第１の指標は、前記少なくとも１つのリソース識別子を備える、Ｃ１４の装置。
[Ｃ１６]  前記第１の指標は、第１の状態に設定される前記第１のデータに関連した選択されたビットを備える、Ｃ１３の装置。
[Ｃ１７]  前記第１の送信リソースは、空間、周波数、時間、および符号分割リソースを備えるセットから選ばれた少なくとも１つのリソースを備える、Ｃ１３の装置。
[Ｃ１８]  前記少なくとも１つの第２の送信リソースは、空間、周波数、時間、および符号分割リソースを備えるセットから選ばれた少なくとも１つのリソースを備えるＣ１３の装置。
[Ｃ１９]  複数のノードに共通のチャネルを使用する通信用ためのコンピュータプログラム製品であって、
第１の送信リソースを使用して前記複数のノードに第１のデータを送信することであって、前記第１のデータは送信機会時間間隔内に送信され、第１の指標を備える、送信することと、
前記第１の指標に応じて前記ノードの少なくとも１つから少なくとも１つのデータ送信をそれぞれ受信することであって、前記少なくとも１つのデータ送信は、それぞれ、少なくとも１つの第２の送信リソースを使用して送信されものであり、前記送信機会時間間隔内に受信される、受信することと
を実行可能なコードで符号化されたコンピュータ可読媒体を備えるコンピュータプログラム製品。
[Ｃ２０]  複数のノードに共通のチャネルを使用する通信のためのアクセスポイントであって、
アンテナと、
前記アンテナにつながれ、第１の送信リソースを使用して複数のノードに第１のデータを送信するように構成される送信機であって、前記第１のデータは送信機会時間間隔内に送信され、第１の指標を備える、送信機と
前記第１の指標に応じて、前記ノードの少なくとも１つから少なくとも１つのデータ送信をそれぞれ受信するように構成される受信機であって、前記少なくとも１つのデータ送信は、それぞれ、少なくとも１つの第２の送信リソースを使用して送信され、前記送信機会時間間隔内に受信される、受信機と
を備えるアクセスポイント。
[Ｃ２１]  複数のノードに共通のチャネルを使用する通信のための方法であって、
複数のノードの第１のノードで、共通チャネルを介して第１のデータ通信を受信することであって、前記第１のデータ通信は、前記複数のノードの他のノードによって復号されることができ、また送信機会時間間隔内に受信される、受信することと、
前記第１のデータ通信が第１の指標を備えるかどうか判断することと、
前記第１のデータ通信が前記第１の指標を備える場合に、選択された送信リソースを使用して前記送信機会時間間隔内で第２のデータ通信を送信することを備える方法。
[Ｃ２２]  前記第１のデータ通信におけるリソース識別子によって前記選択された送信リソースを識別することをさらに備える、Ｃ２１の方法。
[Ｃ２３]  前記第１の指標は、前記リソース識別子を備える、Ｃ２２の方法。
[Ｃ２４]  前記第１の指標は、第１の状態に設定される前記第１のデータ通信に関連して選択されたビットを備える、Ｃ２１の方法。
[Ｃ２５]  前記第１のデータ通信に関連したパラメータからの前記選択された送信リソースを決定することをさらに備える、Ｃ２１の方法。
[Ｃ２６]  前記選択された送信リソースは、空間、周波数、時間、および符号分割リソースのうちのいくつかを備える、Ｃ２１の方法。
[Ｃ２７]  複数のノードに共通のチャネルを使用する通信ための装置であって、
前記複数のノードの第１のノードで、共通チャネルを介して第１のデータ通信を受信するように構成された受信機であって、前記第１のデータ通信は、前記複数のノードの他のノードによって復号されることができ、また送信機会時間間隔内に受信される、受信機と、
前記第１のデータ通信が第１の指標を備えるかどうか判断するように構成されたコントローラと、
前記第１のデータ通信が、前記第１の指標を備える場合に、選択された送信リソースを使用して前記送信機会時間間隔内に第２のデータ通信を送信するように構成される送信機とを備える装置。
[Ｃ２８]  前記コントローラは、前記第１のデータ通信でのリソース識別子によって前記選択された送信リソースを識別するように構成される、Ｃ２７の装置。
[Ｃ２９]  前記第１の指標は前記リソース識別子を備える、Ｃ２８の装置。
[Ｃ３０]  前記第１の指標は、第１の状態に設定される前記第１のデータ通信に関連して選択されたビットを備える、Ｃ２７の装置。
[Ｃ３１]  前記コントローラは、前記第１のデータ通信に関連したパラメータからの前記選択された送信リソースを決定するように構成される、Ｃ２７の装置。
[Ｃ３２]  前記選択された送信リソースは、空間、周波数、時間、および符号分割リソースのうちのいくつかを備える、Ｃ２７の装置。
[Ｃ３３]  複数のノードに共通のチャネルを使用する通信のための装置であって、
前記複数のノードの第１のノードで、共通チャネルを介して第１のデータ通信を受信するための手段であって、前記第１のデータ通信は、前記複数のノードの他のノードによって復号されることができ、送信機会時間間隔内に受信される、受信するための手段と、
前記第１のデータ通信が、第１の指標を備えるかどうか判断するための手段と、
前記第１のデータ通信が、前記第１の指標を備える場合に選択された送信リソースを使用して前記送信機会時間間隔内に第２のデータ通信を送信するための手段とを備える装置。
[Ｃ３４]  前記第１のデータ通信におけるリソース識別子によって前記選択された送信リソースを識別するための手段をさらに備える、Ｃ３３の装置。
[Ｃ３５]  前記第１の指標は、前記リソース識別子を備える、Ｃ３４の装置。
[Ｃ３６]  前記第１の指標は、第１の状態に設定される前記第１のデータ通信に関連して選択されたビットを備える、Ｃ３３の装置。
[Ｃ３７]  前記第１のデータ通信に関連したパラメータからの前記選択された送信リソースを決定するための手段をさらに備える、Ｃ３３の装置。
[Ｃ３８]  前記選択された送信リソースは、空間、周波数、時間、および符号分割リソースのうちのいくつかを備える、Ｃ３３の装置。
[Ｃ３９]  複数のノードに共通のチャネルを使用する通信のためのコンピュータプログラム製品であって、
前記複数のノードの第１のノードで、共通チャネルを介して第１のデータ通信を受信することであって、前記第１のデータ通信は、前記複数のノードの他のノードによって復号されることができ、送信機会時間間隔内に受信される、受信することと、
前記第１のデータ通信が第１の指標を備えるかどうか判断することと、
前記第１のデータ通信が前記第１の指標を備える場合に、選択された送信リソースを使用して前記送信機会時間間隔内に第２のデータ通信を送信すること
を実行可能なコードで符号化されたコンピュータ可読媒体を備えるコンピュータプログラム製品。
[Ｃ４０]  複数のノードに共通のチャネルを使用する通信のためのアクセス端末であって、
アンテナと、
前記複数のノードの第１のノードで共通チャネルを介して第１のデータ通信を受信するように構成される受信機であって、前記第１のデータ通信は、前記複数のノードの他のノードによって復号されることができ、送信機会時間間隔内に受信される、受信機と、
前記第１のデータ通信が第１の指標を備えるかどうか判断するように構成されたコントローラと、
前記第１のデータ通信が第１の指標を備える場合に、選択された送信リソースを使用して前記アンテナを介して前記送信機会時間間隔内に第２のデータ通信を送信する送信機とを備えるアクセス端末。
【誤訳訂正２】
【訂正対象書類名】図面
【訂正対象項目名】図３
【訂正方法】変更
【訂正の内容】
【図３】
2014195280.tif 000001
【誤訳訂正３】
【訂正対象書類名】図面
【訂正対象項目名】図１２
【訂正方法】変更
【訂正の内容】
【図１２】
2014195280.tif 000002
【誤訳訂正４】
【訂正対象書類名】図面
【訂正対象項目名】図１３
【訂正方法】変更
【訂正の内容】
【図１３】
2014195280.tif 000003